(57)【要約】【課題】記憶手段に記憶されている制御情報の消去作業の困難性を低減させることができる遊技機を提供することを目的とする。【解決手段】電源操作スイッチ２４ａ及び記憶消去操作スイッチ２６ａを本体枠１０の係止部材１０ｃ近傍の互いに隣接する位置に配設する。すなわち、電源操作スイッチ２４ａ及び記憶消去操作スイッチ２６ａは、外枠４０から本体枠１０を開扉すると、本体枠１０の側面の視認及び操作し易い位置に設けられている。【選択図】　図２
2004033540.tif 000002
【特許請求の範囲】
【請求項１】
複数の機能部品により構成されるユニット体と、同ユニット体を複数組み合わせて構成される遊技機において、
前記機能部品のうちの所定の機能部品の制御情報を記憶する記憶手段と、
前記記憶手段において記憶された制御情報を消去する記憶消去手段とを設け、
前記記憶消去手段を実行させるための記憶消去操作スイッチを、
前記遊技機の前面側に配設したことを特徴とする遊技機。
【発明の詳細な説明】
【０００１】
【発明の属する技術分野】
本発明は、記憶された遊技に関する制御情報の消去を実行するための手段を有する遊技機に関する。
【０００２】
【従来の技術】
従来、この種の遊技機においては、複数の機能部品により構成されたユニット体を複数組み合わせて形成されている。具体的には、外枠、本体枠、前面ガラス扉枠等の各ユニット体を適宜組み合わせることによって遊技機としての所望の機能を果たすべく設けられている。また、この遊技機には、電源遮断時における制御情報の記憶を行うためのバックアップ用の記憶手段（例えば、ＲＡＭ）が設けられている。このＲＡＭは、遊技機の電源を遮断しても制御情報を記憶したまま保持している。また、このＲＡＭには、記憶されている制御情報の強制的な消去を実行するための記憶消去操作スイッチ（例えば、ＲＡＭ消去スイッチ）が設けられている。このＲＡＭ消去スイッチは、遊技板が配設されている面とは反対側に設けられた制御基板上に配設されているのが一般的である。
【０００３】
【発明が解決しようとする課題】
上述した従来の遊技機においては、ＲＡＭ消去スイッチが遊技機の背面側に設けられているので、ＲＡＭの消去作業を行う際に、その都度、本体枠を全開に近い状態まで開扉しなければならず、操作が面倒であった。
また、ＲＡＭ消去スイッチが設けられているユニット体は複数の機能部品により構成されているので、ＲＡＭ消去スイッチを探すのに手間がかかり面倒であることが考えられる。
また、ＲＡＭ消去スイッチの周辺には、ＲＡＭ消去スイッチの操作説明を行うスペースがなかったので、遊技機に不慣れな記憶消去作業者が操作する場合にはＲＡＭ消去スイッチの操作方法が解り難いことも考えられる。
また、ＲＡＭ消去スイッチの操作状況を報知する報知手段として遊技機の前面側に設けられた遊技を演出するランプや画像表示装置等を利用していたので、記憶手段の消去作業を行う際にこの報知手段を視認できないことが考えられる。
本発明は、上記の課題に鑑みてなされたものであって、記憶手段に記憶されている制御情報の消去作業の困難性を低減させることができる遊技機を提供することを目的とする。
【０００４】
【課題を解決するための手段】
上記目的を達成するため、請求項１にかかる発明は、複数の機能部品により構成されるユニット体と、同ユニット体を複数組み合わせて構成される遊技機において、前記機能部品のうちの所定の機能部品の制御情報を記憶する記憶手段と、前記記憶手段において記憶された制御情報を消去する記憶消去手段とを設け、前記記憶消去手段を実行させるための記憶消去操作スイッチを、前記遊技機の前面側に配設した構成としてある。
上記のように構成した請求項１にかかる発明においては、記憶消去操作スイッチを遊技機の前面側に配設する。具体的には、遊技盤の遊技領域外周の隅角部等であって、前面ガラス扉枠を装着すると、その前面側を前面ガラス扉枠により遮蔽される位置に配設されている。
この際、記憶消去操作スイッチは、前面ガラス扉枠が開扉されると前面側から視認可能な位置に設けられているので、本体枠を全開にせずとも記憶消去操作スイッチを視認及び操作することができる。
これにより、記憶消去作業の困難性を低減させることができる。
【０００５】
なお、上記請求項１においては、記憶消去操作スイッチの配設位置が遊技機の前面側としたが、これは、記憶消去操作スイッチを操作し易くすることを前提としているので、遊技機を実際に島に配設した状態で記憶消去操作スイッチを操作する際には、前面ガラス扉枠の開閉に加えて本体枠を若干開扉して記憶消去操作スイッチを操作する程度のことは許容範囲として考えられる。従って、遊技機の前面側とは、遊技機の前面側に加えて本体枠を開扉する際に外部に露出する側面の一部も含んでいることとする。
なお、本発明は、上記構成に限られるものではなく、以下の手段を含むものである。
【０００６】
手段１
前記記憶消去操作スイッチが、前記遊技機の有する本体枠の前面側に設けられていることを特徴とする請求項１に記載の遊技機。
本体枠の前面側に記憶消去操作スイッチを配設する。本体枠に前面ガラス扉枠を装着すると、本体枠の外周部分は、前面ガラス扉枠や装飾部材等により遮蔽される。従って、その遮蔽部分に記憶消去操作スイッチを設けると、前面ガラス扉枠を開扉した時にだけ視認できるように設けることができるので、記憶消去操作スイッチの操作性と秘匿性とを両立させることができる。
これにより、前面ガラス扉枠のみを開扉するだけで記憶消去操作スイッチを操作することができる。
【０００７】
手段２
前記記憶消去操作スイッチが、前記遊技機の有する遊技盤の前面側に設けられていることを特徴とする請求項１もしくは手段１に記載の遊技機。
遊技盤の前面側に記憶消去操作スイッチを配設する。本体枠に前面ガラス扉枠を装着すると、遊技盤の有する遊技領域の外周部分は、前面ガラス扉枠や装飾部材等により遮蔽される。従って、その遮蔽部分に記憶消去操作スイッチを設けると、前面ガラス扉枠を開扉した時にだけ視認できるように設けることができるので、記憶消去操作スイッチの操作性と秘匿性とを両立させることができる。
これにより、前面ガラス扉枠のみを開扉するだけで記憶消去操作スイッチを操作することができる。
【０００８】
手段３
前記記憶消去操作スイッチが、複数設けられ、そのうちのいずれか一つが前記遊技機の前面側に配設されていることを特徴とする請求項１もしくは手段１〜手段２のいずれかに記載の遊技機。
具体的には、２つの記憶消去操作スイッチを異なる場所に１つずつ設ける。例えば、記憶消去操作スイッチを機構板の側と、遊技盤の隅角部とに配設する。従って、前面ガラス扉枠を開扉した時には、遊技盤の隅角部に設けられた記憶消去操作スイッチを操作し、本体枠を開扉した時には、機構板に設けられた記憶消去操作スイッチを操作する。
これにより、前面ガラス扉枠を開扉した場合と本体枠を開扉した場合とのいずれの場合においても記憶消去操作スイッチを操作することができる。
【０００９】
手段４
前記遊技機が、さらに、電源を操作するための電源操作スイッチを有し、同電源操作スイッチが、前記遊技機の前面側に設けられていることを特徴とする請求項１もしくは手段１〜手段３のいずれかに記載の遊技機。
遊技機の前面側に、電源操作スイッチを配設する。本体枠に前面ガラス扉枠を装着すると、本体枠の外周部や遊技盤の遊技領域以外の隅角部は、前面ガラス扉枠の外周枠や装飾部材等により遮蔽される。従って、電源操作スイッチは、前面ガラス扉枠を開扉した時にだけ視認できるので、電源操作スイッチの操作性と秘匿性とを両立させることができる。
これにより、前面ガラス扉枠のみを開扉するだけで電源操作スイッチを操作することができる。
【００１０】
手段５
前記電源操作スイッチが、前記遊技機の有する本体枠の前面側に設けられていることを特徴とする手段４に記載の遊技機。
本体枠の前面側に電源操作スイッチを配設する。本体枠に前面ガラス扉枠を装着すると、本体枠の外周部分は、前面ガラス扉枠や装飾部材等により遮蔽される。従って、その遮蔽部分に電源操作スイッチを設けると、前面ガラス扉枠を開扉した時にだけ視認できるように設けることができるので、電源操作スイッチの操作性と秘匿性とを両立させることができる。
これにより、前面ガラス扉枠のみを開扉するだけで電源操作スイッチを操作することができる。
【００１１】
手段６
前記電源操作スイッチが、前記遊技機の有する遊技盤の前面側に設けられていることを特徴とする手段４又は手段５のいずれかに記載の遊技機。
遊技盤の前面側に電源操作スイッチを配設する。本体枠に前面ガラス扉枠を装着すると、遊技盤の遊技領域外周の隅角部は、前面ガラス扉枠や装飾部材等により遮蔽される。従って、その遮蔽部分に電源操作スイッチを設けると、前面ガラス扉枠を開扉した時にだけ視認できるように設けることができるので、電源操作スイッチの操作性と秘匿性とを両立させることができる。
これにより、前面ガラス扉枠のみを開扉するだけで電源操作スイッチを操作することができる。
【００１２】
手段７
前記電源操作スイッチが、複数設けられ、そのうちのいずれか一つが前記遊技機の前面側に配設されていることを特徴とする手段４〜手段６のいずれかに記載の遊技機。
具体的には、２つの電源操作スイッチを異なる場所に１つずつ設ける。例えば、電源操作スイッチを制御基板と、遊技盤の隅角部とに配設する。従って、前面ガラス扉枠を開扉した時には、遊技盤の隅角部に設けられた電源操作スイッチを操作し、本体枠を開扉した時には、機構板に設けられた電源操作スイッチを操作する。
これにより、前面ガラス扉枠を開扉した場合と本体枠を開扉した場合とのいずれの場合においても電源操作スイッチを操作することができる。
【００１３】
手段８
前記記憶消去操作スイッチ及び／又は前記電源操作スイッチの各々が、少なくとも２箇所以上に設けられ、同記憶消去操作スイッチのいずれか一方と、同電源操作スイッチのいずれか一方とが前記遊技機の前面側に配設されていることを特徴とする手段４〜手段７のいずれかに記載の遊技機。
具体的には、２つずつ設けられた記憶消去操作スイッチと電源操作スイッチとを異なる場所に１つずつ設ける。例えば、記憶消去操作スイッチと電源操作スイッチとをそれぞれ遊技機の背面側と、遊技機の前面側に配設する。従って、前面ガラス扉枠を開扉した時には、遊技機の前面側に設けられた記憶消去操作スイッチ及び電源操作スイッチを操作し、本体枠を開扉した時には、遊技機の背面側に設けられた記憶消去操作スイッチ及び電源操作スイッチを操作する。
これにより、前面ガラス扉枠を開扉した場合と本体枠を開扉した場合とのいずれの場合においても記憶消去操作スイッチ及び／又は電源操作スイッチを操作することができる。
【００１４】
手段９
前記記憶消去操作スイッチ及び前記電源操作スイッチが、前記本体枠又は前記遊技盤のいずれかの前面側に設けられていることを特徴とする手段４〜手段８のいずれかに記載の遊技機。
本体枠の前面側や遊技盤の前面側に設けられた遊技領域外周の隅角部付近に、記憶消去操作スイッチ及び電源操作スイッチを互いに近接する位置に配設する。本体枠に前面ガラス扉枠を装着すると、遊技盤の遊技領域はガラスを通して視認できるように設けられており、その隅角部は、前面ガラス扉枠や装飾部材等により遮蔽される。
従って、記憶消去操作スイッチ及び電源操作スイッチは、前面ガラス扉枠を開扉した時にだけ視認できる状態となり、記憶消去操作スイッチ及び電源操作スイッチの操作性と秘匿性とを両立させることができる。
これにより、前面ガラス扉枠のみを開扉するだけで記憶消去操作スイッチ及び電源操作スイッチを操作することができるので、記憶消去作業の困難性を低減させることができる。
【００１５】
手段１０
前記記憶消去操作スイッチが、前記遊技機の側面に設けられていることを特徴とする請求項１に記載の遊技機。
遊技機の側面に記憶消去操作スイッチを配設する。具体的には、本体枠や機構板等の上面及び底面を含む側面に記憶消去操作スイッチを配設する。
これにより、本体枠を全開にせずとも記憶消去操作スイッチを操作することができる。
【００１６】
手段１１
前記記憶消去操作スイッチが、前記遊技機の有する本体枠の側面に設けられていることを特徴とする請求項１もしくは手段１０のいずれかに記載の遊技機。
本体枠の側面に記憶消去操作スイッチを配設する。具体的には、本体枠を外枠に係止させるための係止部材と隣接する位置に記憶消去操作スイッチを配設する。
これにより、本体枠を全開にせずとも記憶消去操作スイッチを操作することができる。
【００１７】
手段１２
前記記憶消去操作スイッチが、遊技機の有する機構板の側面に設けられていることを特徴とする請求項１もしくは手段１０のいずれかに記載の遊技機。
機構板の側面に記憶消去操作スイッチを配設する。具体的には、遊技盤の背面側に設けられた機構板や機構板の有する保護カバー部材の側面に記憶消去操作スイッチを配設する。
これにより、本体枠を全開にせずとも記憶消去操作スイッチを操作することができる。
【００１８】
手段１３
前記記憶消去操作スイッチが、複数設けられ、そのうちのいずれか一つが前記遊技機の側面に配設されていることを特徴とする手段１０〜手段１２のいずれかに記載の遊技機。
具体的には、２つの記憶消去操作スイッチを異なる場所に１つずつ設ける。例えば、記憶消去操作スイッチを制御基板と、本体枠の側面とにそれぞれ配設する。従って、本体枠を若干開扉した時には、本体枠の側面に設けられた記憶消去操作スイッチを操作し、本体枠を全開に近い状態まで開扉した時には、制御基板に設けられた記憶消去操作スイッチを操作する。
これにより、本体枠を若干開扉した場合と全開した場合とのいずれの場合においても記憶消去操作スイッチを操作することができる。
【００１９】
手段１４
前記遊技機が、さらに、電源を操作するための電源操作スイッチを有し、同電源操作スイッチが、前記遊技機の側面に設けられていることを特徴とする手段１０〜手段１３のいずれかに記載の遊技機。
遊技機の側面に電源操作スイッチを配設する。具体的には、本体枠を外枠に係止させるための係止部材と隣接する位置や機構板の側面等に電源操作スイッチを配設する。
これにより、本体枠を全開にせずとも電源操作スイッチを操作することができる。
【００２０】
手段１５
前記電源操作スイッチが、前記遊技機の有する本体枠の側面に設けられていることを特徴とする手段１４に記載の遊技機。
本体枠の側面に電源操作スイッチを配設する。具体的には、本体枠を外枠に係止させるための係止部材と隣接する位置等に電源操作スイッチを配設する。
これにより、本体枠を全開にせずとも電源操作スイッチを操作することができる。
【００２１】
手段１６
前記電源操作スイッチが、前記遊技機の有する機構板の側面に設けられていることを特徴とする手段１４又は手段１５に記載の遊技機。
機構板の側面に電源操作スイッチを配設する。具体的には、機構板の側面や機構板に設けられている保護カバー部材の側面等に電源操作スイッチを配設する。
これにより、本体枠を全開にせずとも電源操作スイッチを操作することができる。
【００２２】
手段１７
前記電源操作スイッチが、複数設けられ、そのうちのいずれか一つが前記遊技機の側面に配設されていることを特徴とする手段１４〜手段１６のいずれかに記載の遊技機。
具体的には、２つの電源操作スイッチを異なる場所に１つずつ設ける。例えば、電源操作スイッチを制御基板と、本体枠の側面とにそれぞれ配設する。従って、本体枠を若干開扉した時には、本体枠の側面に設けられた電源操作スイッチを操作し、本体枠を全開に近い状態まで開扉した時には、制御基板に設けられた電源操作スイッチを操作する。
これにより、本体枠を若干開扉した場合と全開した場合とのいずれの場合においても電源操作スイッチを操作することができる。
【００２３】
手段１８
前記記憶消去操作スイッチ及び／又は前記電源操作スイッチの各々が、少なくとも２箇所以上に設けられ、同記憶消去操作スイッチのいずれか一方と、同電源操作スイッチのいずれか一方とが前記遊技機の側面に配設されていることを特徴とする手段１４〜手段１７のいずれかに記載の遊技機。
具体的には、２つずつ設けられた記憶消去操作スイッチと電源操作スイッチとを異なる場所に１つずつ設ける。例えば、記憶消去操作スイッチと電源操作スイッチとをそれぞれ遊技機の背面側と、遊技機の前面側に配設する。従って、前面ガラス扉枠を開扉した時には、遊技機の前面側に設けられた記憶消去操作スイッチ及び電源操作スイッチを操作し、本体枠を開扉した時には、遊技機の背面側に設けられた記憶消去操作スイッチ及び電源操作スイッチを操作する。
これにより、本体枠を若干開扉した場合と全開した場合とのいずれの場合においても記憶消去操作スイッチ及び／又は電源操作スイッチを操作することができる。
【００２４】
手段１９
前記記憶消去操作スイッチ及び前記電源操作スイッチが、前記本体枠又は前記機構板のいずれかの側面に設けられていることを特徴とする手段１４〜手段１８のいずれかに記載の遊技機。
本体枠の側面に記憶消去操作スイッチと電源操作スイッチとを配設する。具体的には、消去操作スイッチと電源操作スイッチとの両方を本体枠に設けられた係止部材と隣接する位置等にそれぞれ配設する。また、これ以外にも記憶消去操作スイッチと電源操作スイッチとを機構板の側面や機構板に配設されている裏カバー部材に配設してもよい。
これにより、本体枠を若干開扉するだけで記憶消去操作スイッチ及び電源操作スイッチを操作することができ、記憶消去作業の困難性を低減させることができる。
【００２５】
手段２０
前記本体枠が、前記遊技機の背面側に配設された前記記憶消去操作スイッチ及び／又は前記電源操作スイッチを、同遊技機の前面側から視認できる位置に開口部を有することを特徴とする手段４〜手段１９のいずれかに記載の遊技機。
記憶消去操作スイッチ及び／又は電源操作スイッチは、遊技機の背面側に設けられている。具体的には、本体枠に前面ガラス扉枠が装着されると、前面ガラス扉枠や装飾部材等により遮蔽される部分であって、前面ガラス扉枠を開扉すると、記憶消去操作スイッチ及び／又は電源操作スイッチを遊技機の前面側から視認させることが可能な本体枠の外周部等に開口部を設ける。なお、この開口部は、遊技中の遊技者からは視認できない位置に配設されているので、記憶消去作業の操作方法等を秘匿することができる。
これにより、前面ガラス扉枠のみを開扉するだけで記憶消去操作スイッチ及び電源操作スイッチの配設位置を記憶消去作業者に認識させることができ、記憶消去の作業効率を向上させることができる。
【００２６】
手段２１
前記本体枠に設けられた開口部が、前記記憶消去操作スイッチ及び／又は前記電源操作スイッチを遊技機の前面側から操作可能な形状に形成されていることを特徴とする手段２０に記載の遊技機。
具体的には、記憶消去操作スイッチ及び／又は電源操作スイッチを機構板の側面に配設する。ここで、記憶消去操作スイッチ及び／又は電源操作スイッチを配設した位置に対応する本体枠に開口部を設ける。この開口部は、指等を挿通可能な程度の大きさに設けられている。つまり、この開口部は、遊技機の前面側から手を挿入して記憶消去操作スイッチ及び／又は電源操作スイッチを操作できるように設けられている。
これにより、前面ガラス扉枠のみを開扉するだけで記憶消去操作スイッチ及び電源操作スイッチまで手が届くように設けられているので、記憶消去の作業効率を向上させることができる。
【００２７】
手段２２
前記記憶消去操作スイッチ及び／又は前記電源操作スイッチが、前記本体枠に設けられた開口部に装着されていることを特徴とする手段２０又は手段２１に記載の遊技機。
本体枠に設けられた開口部に本体枠の前面側から操作できるように記憶消去操作スイッチ及び／又は電源操作スイッチを装着する。
これにより、前面ガラス扉枠のみを開扉するだけで記憶消去操作スイッチ及び／又は電源操作スイッチを操作することができる。
【００２８】
手段２３
前記遊技盤が、前記遊技機の背面側に配設された前記記憶消去操作スイッチ及び／又は前記電源操作スイッチを、同遊技機の前面側から視認できる位置に開口部を有することを特徴とする手段１４〜手段１９のいずれかに記載の遊技機。
記憶消去操作スイッチ及び／又は電源操作スイッチは、遊技機の背面側に設けられている。具体的には、本体枠に前面ガラス扉枠が装着されると、前面ガラス扉枠や装飾部材等により遮蔽される部分であって、前面ガラス扉枠を開扉すると記憶消去操作スイッチ及び／又は電源操作スイッチを遊技機の前面側から視認させることが可能な遊技盤上の隅角部等に開口部を設ける。なお、この開口部は、遊技中の遊技者からは視認できない位置に配設されているので、記憶消去作業の操作方法等を秘匿することができる。
これにより、前面ガラス扉枠のみを開扉するだけで記憶消去操作スイッチ及び電源操作スイッチの配設位置を記憶消去作業者に認識させることができ、記憶消去の作業効率を向上させることができる。
【００２９】
手段２４
前記遊技盤に設けられた開口部が、前記記憶消去操作スイッチ及び／又は前記電源操作スイッチを遊技機の前面側から操作可能な形状に設けられていることを特徴とする手段２３に記載の遊技機。
例えば、記憶消去操作スイッチ及び／又は電源操作スイッチの配設位置や形状を開口部に合わせて形成することにより、遊技機の前面側より操作できるように形成する。なお、この開口部は、遊技中の遊技者からは視認できない位置に配設されているので、遊技機の記憶消去に関する秘匿性を保護することができる。
これにより、前面ガラス扉枠のみを開扉するだけで記憶消去操作スイッチ及び電源操作スイッチの配設位置まで手が届くように設けられているので、記憶消去の作業効率を向上させることができる。
【００３０】
手段２５
前記記憶消去操作スイッチ及び／又は前記電源操作スイッチが、前記遊技盤に設けられた開口部に装着されていることを特徴とする手段２３又は手段２４に記載の遊技機。
遊技盤に設けられた開口部に記憶消去操作スイッチ及び／又は電源操作スイッチを遊技機の前面側から操作できるように装着する。
これにより、前面ガラス扉枠のみを開扉するだけで記憶消去操作スイッチ及び／又は電源操作スイッチを操作することができる。
【００３１】
手段２６
前記記憶消去操作スイッチを間接的に操作するための連動操作手段が、前記遊技機の前面側に設けられていることを特徴とする手段１０〜手段２５のいずれかに記載の遊技機。
例えば、記憶消去操作スイッチが遊技機の背面側に配設された状態においては、記憶消去操作スイッチを遊技機の前面側から操作可能に接続された連動操作手段を配設する。また、電源操作スイッチを遊技盤の隅角部等に配設する。この場合、前面ガラス扉枠を開扉して、連動操作手段を操作して記憶消去操作スイッチが操作された状態において、電源操作スイッチを操作すると、記憶手段の消去を行うことができる。なお、ここでは、連動操作手段を手動にて操作する場合を示しているが、前面ガラス扉枠の開閉と連動して操作されるようにしてもよい。これにより、前面ガラス扉枠を開扉するだけで記憶消去操作スイッチを操作することができる。
これにより、前面ガラス扉枠のみを開扉するだけで記憶消去操作スイッチを操作することができる。
【００３２】
手段２７
前記記憶消去操作スイッチが、前記記憶手段を有する制御基板あるいはその他の基板と略一体に形成され、かつ、前記遊技機の前面側から前記連動操作手段を介して操作されるべく配設されていることを特徴とする手段２６に記載の遊技機。
記憶消去操作スイッチを機構板に配設する。また、本体枠の前面側から記憶消去操作スイッチまでを連結するように連動操作手段を配設する。この連動操作手段は、連桿部材やワイヤー部材等により形成され、本体枠の前後を貫通させる等して配設されている。つまり、連動操作手段を操作すると、連動操作手段を介して機構板に設けられている記憶消去操作スイッチが間接的に操作される。
これにより、前面ガラス扉枠のみを開扉するだけで記憶消去作業を行うことができる。
【００３３】
手段２８
前記記憶消去操作スイッチが、前記記憶手段を有する制御基板あるいはその他の基板とは別部材として前記遊技機の前面側に配設され、所定の配線を介して同記憶手段を有する制御基板あるいはその他の基板に接続されていることを特徴とする手段２７に記載の遊技機。
記憶消去操作スイッチは、遊技機から独立して形成された所定の立体形状を呈する別部材として形成されている。別部材として設けられた記憶消去操作スイッチは、例えば、略円盤状等に形成されており、遊技盤の隅角部等に所定の固定具等を用いて固定したり、開口部を形成し、その開口部に埋設する等して連動操作手段を介して遊技機の前面側に配設されている。
これにより、記憶消去操作スイッチを電源操作スイッチの近傍に移設したり、操作し易い位置への移設を容易に行うことができ、記憶消去の作業効率を向上させることができる。
また、この他にも、略円盤状等に形成された別部材を接着剤等で後から配設するようにしてもよい。こうすれば、記憶消去作業者が操作し易い位置に調整して配設することができる。
【００３４】
手段２９
前記記憶消去操作スイッチが、前記記憶手段を有する制御基板あるいはその他の基板とは別部材として前記遊技機の側面に配設され、所定の配線を介して同記憶手段を有する制御基板あるいはその他の基板に接続されていることを特徴とする手段２７に記載の遊技機。
記憶消去操作スイッチは、遊技機から独立して形成された所定の立体形状を呈する別部材として形成されている。別部材として設けられた記憶消去操作スイッチは、例えば、略円盤状等に形成されており、機構板の側面に所定の固定具等を用いて固定したり、開口部を形成し、その開口部に埋設する等して配設されている。
これにより、記憶消去操作スイッチを電源操作スイッチの近傍に移設したり、操作し易い位置への移設を容易に行うことができ、記憶消去の作業効率を向上させることができる。
また、この他には、略円盤状等に形成された別部材を接着剤等で後から配設するようにしてもよい。こうすれば、記憶消去作業者が操作し易い位置に調整して配設することができる。
【００３５】
手段３０
前記遊技機の前面側には、前記電源操作スイッチを間接的に操作するための連動操作手段が設けられていることを特徴とする手段１４〜手段２５のいずれかに記載の遊技機。
例えば、電源操作スイッチが遊技機の背面側に配設された状態においては、電源操作スイッチを遊技機の前面側から操作可能に接続された連動操作手段を配設する。また、記憶消去操作スイッチを遊技盤の隅角部等に配設する。この場合、前面ガラス扉枠を開扉して、記憶消去操作スイッチが操作された状態において、連動操作スイッチを操作して電源操作スイッチを操作すると、記憶手段の消去を行うことができる。
これにより、前面ガラス扉枠を開扉するだけで電源操作スイッチ操作することができる。
【００３６】
手段３１
前記電源操作スイッチが、前記遊技機の背面側に設けられている電源基板あるいはその他の基板と略一体に形成され、かつ、同遊技機の前面側から前記連動操作手段を介して操作されるべく配設されていることを特徴とする手段３０に記載の遊技機。
電源操作スイッチを機構板に配設する。また、遊技機の前面側から電源操作スイッチまでを連結するように連動操作手段を配設する。この連動操作手段は、連桿部材やワイヤー部材等により本体枠の所定位置を貫通するように配設されている。つまり、連動操作手段を操作すると、連動操作手段を介して機構板に設けられている電源操作スイッチが間接的に操作される。
これにより、本体枠を開扉せずとも電源操作スイッチを操作することができる。
【００３７】
手段３２
前記電源操作スイッチが、前記遊技機の背面側に設けられている電源基板あるいはその他の基板とは別部材として同遊技機の前面側に配設され、所定の配線を介して同電源基板あるいはその他の基板に接続されていることを特徴とする手段３１に記載の遊技機。
電源操作手段は、所定の立体形状を呈する別部材として形成されている。この別部材は、例えば、略円盤状等に形成されており、遊技盤の隅角部等に所定の固定具等を用いて固定したり、開口部を形成し、その開口部に埋設する等して配設されている。
これにより、電源操作スイッチを記憶消去操作スイッチの近傍に移設したり、操作し易い位置への移設を容易に行うことができ、記憶消去の作業効率を向上させることができる。
また、この他にも、略円盤状等に形成された別部材を接着剤等を用いることによって、遊技盤等に配設するようにしてもよい。こうすれば、記憶消去作業者が操作し易い位置に調整して配設することができる。
【００３８】
手段３３
前記電源操作スイッチが、前記遊技機の背面側に設けられている電源基板あるいはその他の基板とは別部材として同遊技機の背面側に配設され、所定の配線を介して同電源基盤あるいはその他の基板に接続されていることを特徴とする手段３１に記載の遊技機。
電源操作スイッチは、所定の立体形状を呈する別部材として形成されている。この別部材は、例えば、略円盤状等に形成されており、機構板の側面に所定の固定具等を用いて固定したり、開口部を形成し、その開口部に埋設する等して配設されている。
これにより、電源操作スイッチを記憶消去操作スイッチの近傍に移設したり、操作し易い位置への移設を容易に行うことができ、記憶消去の作業効率を向上させることができる。
また、この他にも、略円盤状等に形成された別部材を接着剤等を用いることによって、機構板等に着脱自在に配設するようにしてもよい。こうすれば、記憶消去作業者が操作し易い位置に調整して配設することができる。
【００３９】
手段３４
前記記憶手段の消去作業状況を記憶消去作業者に報知するための報知手段が、前記前面ガラス扉枠又は本体枠又は遊技盤のいずれかに設けられている発光手段を利用することを特徴とする請求項１もしくは手段１〜手段３３のいずれかに記載の遊技機。
前面ガラス扉枠又は本体枠又は遊技盤のいずれかに設けられている発光手段は、具体的には、遊技状態に合わせて発光する装飾用ランプである。この装飾用ランプを記憶消去操作スイッチ及び電源操作スイッチの操作と連動させることにより、記憶手段から制御情報が消去されたことを報知する特定の発光パターンが発生されるように設けられている。
これにより、消去作業状況を記憶消去作業者に対して容易に報知することができる。
【００４０】
手段３５
前記報知手段が、前記遊技盤に設けられている画像表示手段の画像表示を用いて行われていることを特徴とする手段３４に記載の遊技機。
遊技盤に設けられている制御情報を表示するための画像表示装置に記憶消去手段の操作と連動して特定の画像表示を行わせる。例えば、記憶手段に制御情報が蓄積されていることや記憶消去手段の操作により、その制御情報が消去されたこと等を表示させる。
これにより、詳細な消去作業状況を記憶消去作業者に対して容易に報知することができる。
【００４１】
手段３６
前記記憶消去操作スイッチの操作方法の説明手段が、同記憶消去操作スイッチの近傍に設けられていることを特徴とする請求項１もしくは手段１〜手段３５のいずれかに記載の遊技機。
記憶消去手段を遊技盤の隅角部に配設し、その近傍に記憶消去手段の操作方法を記入したシール等の説明手段を配設する。この遊技盤の隅角部は、遊技領域の四隅に設けられており、遊技盤に前面ガラス扉枠を装着することにより、一定の面積の遮蔽部分が形成される。従って、この隅角部に設けられた遮蔽部分を有効利用することにより、記憶消去手段と操作説明を記入したシール等を配設することができる。
これにより、遊技機に不慣れな記憶消去作業者であっても記憶消去作業を手順通りに行わせることができる。
【００４２】
手段３７
前記遊技機は、スロットマシンであり、前記記憶消去操作スイッチ及び前記電源操作スイッチによる消去操作にかかる構成を同スロットマシンに適用する場合、同記憶消去操作スイッチ及び同電源操作スイッチは、同スロットマシンの筐体内の制御ボックスの側面又は背面に設けられ、かつ、同スロットマシンを開扉した時に視認性及び操作性のよい位置に配設した構成とすることを特徴とする請求項１もしくは手段１〜手段３６のいずれかに記載の遊技機。
スロットマシンは、メダルやコイン等を遊技媒体として絵合わせを行うことを特徴とする遊技機である。このスロットマシンにおいて、一時的な制御情報が蓄積された記憶手段のバックアップデータを強制的に消去するには、記憶消去手段及び電源操作手段を特定の手順で操作することにより行われる。ここで、記憶消去操作スイッチ及び電源操作スイッチは、スロットマシンの筐体内に設けられている制御ボックスの側面等の視認性及び操作性のよい位置に設けられる。
これにより、スロットマシンにおける記憶消去作業の困難性を低減させることができる。
【００４３】
手段３８
前記遊技機は、パチロットであり、前記記憶消去操作スイッチ及び前記電源操作スイッチによる消去操作にかかる構成を同パチロットに適用する場合、同記憶消去操作スイッチ及び同電源操作スイッチは、同パチロットの筐体内の制御ボックスの側面又は背面に設けられ、同パチロットを開扉した時に視認性及び操作性のよい位置に配設した構成とすることを特徴とする請求項１もしくは手段１〜手段３６のいずれかに記載の遊技機。
パチロットは、メダル等の代わりに一定数のパチンコ球を使用して絵合わせを行うパチンコ機とスロットマシンの両方の特徴を備えた遊技機である。このパチロットにおいても同様に、一時的な制御情報が蓄積された記憶手段のバックアップデータを強制的に消去するには、記憶消去操作スイッチ及び電源操作スイッチを特定の手順で操作することにより行われる。ここで、記憶消去操作スイッチ及び電源操作スイッチは、パチロットの筐体内に設けられている制御ボックスの側面等の視認性及び操作性のよい位置に設けられる。
これにより、パチロットにおける記憶消去作業の困難性を低減させることができる。
【００４４】
手段３９
前記記憶消去操作スイッチが操作されている状態を保持した状態で、前記電源操作スイッチを操作して電源を投入すると、前記記憶手段に記憶されている制御情報が消去されることを特徴とする請求項１もしくは手段１〜手段３８のいずれかに記載の遊技機。
遊技機への電源供給が遮断された状態で、記憶消去手段を操作したまま、電源操作手段を操作することにより電源を投入する。すると、ＲＡＭに記憶されていた制御情報が消去される。
これにより、記憶手段に記憶されている制御情報を消去する必要がある時にだけ消去することができる。
【００４５】
【発明の効果】
以上説明したように本発明は、記憶消去作業の困難性を低減させることができる遊技機を提供することができる。
また、手段１にかかる発明によれば、前面ガラス扉枠のみを開扉するだけで記憶消去操作スイッチを操作することができる。
また、手段２にかかる発明によれば、前面ガラス扉枠のみを開扉するだけで記憶消去操作スイッチを操作することができる。
また、手段３にかかる発明によれば、前面ガラス扉枠を開扉した場合と本体枠を開扉した場合とのいずれの場合においても記憶消去操作スイッチを操作することができる。
また、手段４にかかる発明によれば、前面ガラス扉枠のみを開扉するだけで電源操作スイッチを操作することができる。
また、手段５にかかる発明によれば、前面ガラス扉枠のみを開扉するだけで電源操作スイッチを操作することができる。
また、手段６にかかる発明によれば、前面ガラス扉枠のみを開扉するだけで電源操作スイッチを操作することができる。
また、手段７にかかる発明によれば、前面ガラス扉枠を開扉した場合と本体枠を開扉した場合とのいずれの場合においても記憶消去作業を行うことができる。
また、手段８にかかる発明によれば、前面ガラス扉枠を開扉した場合と本体枠を開扉した場合とのいずれの場合においても記憶消去操作スイッチ及び／又は電源操作スイッチを操作することができる。
また、手段９にかかる発明によれば、前面ガラス扉枠のみを開扉するだけで記憶消去操作スイッチ及び電源操作スイッチを操作することができるので、記憶消去作業の困難性を低減させることができる。
また、手段１０にかかる発明によれば、本体枠を全開にせずとも記憶消去操作スイッチを操作することができる。
また、手段１１にかかる発明によれば、本体枠を全開にせずとも記憶消去操作スイッチを操作することができる。
また、手段１２にかかる発明によれば、本体枠を全開にせずとも記憶消去操作スイッチを操作することができる。
また、手段１３にかかる発明によれば、本体枠を若干開扉した場合と全開した場合とのいずれの場合においても記憶消去操作スイッチを操作することができる。
また、手段１４にかかる発明によれば、本体枠を全開にせずとも電源操作スイッチを操作することができる。
また、手段１５にかかる発明によれば、本体枠を全開にせずとも電源操作スイッチを操作することができる。
また、手段１６にかかる発明によれば、本体枠を全開にせずとも電源操作スイッチを操作することができる。
また、手段１７にかかる発明によれば、本体枠を若干開扉した場合と全開した場合とのいずれの場合においても電源操作スイッチを操作することができる。
また、手段１８にかかる発明によれば、本体枠を若干開扉した場合と全開した場合とのいずれの場合においても記憶消去操作スイッチ及び／又は電源操作スイッチを操作することができる。
また、手段１９にかかる発明によれば、本体枠を若干開扉するだけで記憶消去操作スイッチ及び電源操作スイッチを操作することができ、記憶消去作業の困難性を低減させることができる。
また、手段２０にかかる発明によれば、前面ガラス扉枠のみを開扉するだけで記憶消去操作スイッチ及び電源操作スイッチの配設位置を記憶消去作業者に認識させることができ、記憶消去の作業効率を向上させることができる。
また、手段２１にかかる発明によれば、前面ガラス扉枠のみを開扉するだけで記憶消去操作スイッチ及び電源操作スイッチまで手が届くように設けられているので、記憶消去の作業効率を向上させることができる。
また、手段２２にかかる発明によれば、前面ガラス扉枠のみを開扉するだけで記憶消去操作スイッチ及び／又は電源操作スイッチを操作することができる。
また、手段２３にかかる発明によれば、前面ガラス扉枠のみを開扉するだけで記憶消去操作スイッチ及び電源操作スイッチの配設位置を記憶消去作業者に認識させることができ、記憶消去の作業効率を向上させることができる。
また、手段２４にかかる発明によれば、前面ガラス扉枠のみを開扉するだけで記憶消去操作スイッチ及び電源操作スイッチの配設位置まで手が届くように設けられているので、記憶消去の作業効率を向上させることができる。
また、手段２５にかかる発明によれば、前面ガラス扉枠のみを開扉するだけで記憶消去操作スイッチ及び／又は電源操作スイッチを操作することができる。
また、手段２６にかかる発明によれば、前面ガラス扉枠のみを開扉するだけで記憶消去操作スイッチを操作することができる。
また、手段２７にかかる発明によれば、前面ガラス扉枠のみを開扉するだけで記憶消去操作スイッチを操作することができる。
また、手段２８にかかる発明によれば、記憶消去操作スイッチを電源操作スイッチの近傍に移設したり、操作し易い位置への移設を容易に行うことができ、記憶消去の作業効率を向上させることができる。
また、手段２９にかかる発明によれば、記憶消去操作スイッチを電源操作スイッチの近傍に移設したり、操作し易い位置への移設を容易に行うことができ、記憶消去の作業効率を向上させることができる。
また、手段３０にかかる発明によれば、前面ガラス扉枠を開扉するだけで電源操作スイッチ操作することができる。
また、手段３１にかかる発明によれば、本体枠を開扉せずとも電源操作スイッチを操作することができる。
また、手段３２にかかる発明によれば、電源操作スイッチを記憶消去操作スイッチの近傍に移設したり、操作し易い位置への移設を容易に行うことができ、記憶消去の作業効率を向上させることができる。
また、手段３３にかかる発明によれば、電源操作スイッチを記憶消去操作スイッチの近傍に移設したり、操作し易い位置への移設を容易に行うことができ、記憶消去の作業効率を向上させることができる。
また、手段３４にかかる発明によれば、消去作業状況を記憶消去作業者に対して容易に報知することができる。
また、手段３５にかかる発明によれば、詳細な消去作業状況を記憶消去作業者に対して容易に報知することができる。
また、手段３６にかかる発明によれば、遊技機に不慣れな記憶消去作業者であっても記憶消去作業を手順通りに行わせることができる。
また、手段３７にかかる発明によれば、スロットマシンにおける記憶消去作業の困難性を低減させることができる。
また、手段３８にかかる発明によれば、パチロットにおける記憶消去作業の困難性を低減させることができる。
また、手段３９にかかる発明によれば、記憶手段に記憶されている制御情報を消去する必要がある時にだけ消去することができる。
【００４６】
【発明の実施の形態】
ここでは、下記の順序に従って本発明の実施形態を説明する。
（１）遊技機の概要：
（２）遊技機の説明：
（３）遊技機の変形例：
【００４７】
（１）遊技機の概要：
本発明に基づく遊技機をパチンコ遊技機Ａ１に応用した場合の実施の形態について図面を利用いて説明する。
パチンコ遊技機Ａ１は、複数の機能部品により構成されたユニット体を複数用いて互いに組み合わせ、さらに、これらを一体に形成することによりパチンコ遊技機Ａ１として機能するものである。すなわち、このユニット体とは、本体枠１０、機構板２０、前面ガラス扉枠３０、外枠４０等である。また、機能部品とは、本体枠１０においては、遊技盤１２、上皿１４、下皿１６、ハンドル１８ａ等が挙げられる。
【００４８】
また、機構板２０においては、機構部材２２としてのカバー部材２２ａ、主制御基板２２ｂ、景品球タンク２２ｃ、景品球排出装置２２ｄ、払出制御基板２２ｅ及び、電源操作部２４、電源基板２６等が挙げられる。なお、カバー部材２２ａ内に配設されている部材としては、制御情報表示装置２２ｆや、装飾用ランプ制御基板（図示省略）や、発射制御基板（図示省略）あるいは遊技球発射装置１８等が挙げられる。
【００４９】
なお、以下の説明において、前面又は前面側とは、図１に示すように、パチンコ遊技機Ａ１の遊技領域１２ａが設けられている側、すなわち、遊技者が対面する側を示し、背面又は背面側とは、パチンコ遊技機Ａ１の遊技領域１２ａが設けられている側とは反対の側を示すものとする。さらに、側面とは、遊技機の前面と背面との間の面をなす遊技機Ａ１の横側面を示すものとする。
【００５０】
（２）遊技機の説明：
図１は、本発明にかかるパチンコ遊技機Ａ１の前面側の概略的な構成を示す斜視図である。
同図において、パチンコ遊技機Ａ１は、本体枠１０と、前面ガラス扉枠３０と、外枠４０とをそれぞれ所定位置に配設することにより形成されている。
ここで、パチンコ遊技機Ａ１の構成についてさらに詳細に説明すると、本体枠１０は、図１及び図２に示すように、合成樹脂製の部材により略枠状に形成されており、本体部１０ａと、取付部１０ｂとが一体に形成されている。この本体部１０ａは、パチンコ遊技機Ａ１の前面側に向けて配設されており、取付部１０ｂは、パチンコ遊技機Ａ１の背面側に向けて配設されている。また、この取付部１０ｂには、遊技盤１２が嵌着されるようにして設けられている。また、この本体枠１０の長手方向の一方の側面、具体的には、取付部１０ｂの側面には、金属製の係止部材１０ｃが設けられている。
【００５１】
また、本体枠１０の前面側の遊技盤１２の下方には、上皿１４と、下皿１６と、ハンドル１８ａがそれぞれ配設されている。さらに、この本体枠１０には、図１等に示すように、所定の被連結部１１が設けられており、この被連結部１１を介して外枠４０と開閉自在に連結されている。
【００５２】
また、この遊技盤１２の前面側には、図１に示すように、遊技球を流下させる遊技領域１２ａが形成されている。この遊技領域１２ａには、遊技を演出する各種役物として始動口１２ａ１や、風車１２ａ２や、制御情報表示装置２２ｆの有する画像表示部２２ｆ１や、画像表示部２２ｆ１の周囲に設けられた画像表示部装飾部材１２ａ３や、画像表示部装飾部材１２ａ３内に配設された装飾用ランプ３４等がそれぞれ所定位置に設けられている。
【００５３】
次に、図２は、パチンコ遊技機Ａ１の本体枠１０並びに前面ガラス扉枠３０を外枠４０から開扉した状態の概略的な構成を示す斜視図である。
同図において、本体枠１０の背面側、すなわち、遊技盤１２の遊技領域１２ａが設けられている側とは反対の側には、遊技盤１２上に機構板２０が設けられている。この機構板２０は、合成樹脂製の部材により形成されている。またこの機構板２０は、第１ベース部材２０ａと、第２ベース部材２０ｂとから形成されており、第１ベース部材２０ａが、所定の固定具を用いて遊技盤１２上に固定されている。さらに、第２ベース部材２０ｂは、第１ベース部材２０ａの遊技盤１２の反対側に所定の連結部材により開閉自在に配設されている。なお、この機構板２０は、複数の部材にて形成されていなくともよい。
【００５４】
この機構板２０には、図２に示すように、複数の機能部品からなる機構部材２２が所定位置にそれぞれ配設されている。この機構部材２２は、カバー部材２２ａと、主制御基板２２ｂと、景品球タンク２２ｃと、景品球排出装置２２ｄと、払出制御基板２２ｅと、電源操作部２４と、電源基板２６とが配設されている。ここで、本発明の主要な構成として、電源操作部２４と、電源基板２６について詳細に説明することとする。
【００５５】
電源操作部２４は、パチンコ遊技機Ａ１の遊技に供される電源を操作するために設けられている。また、この電源操作部２４には、電源を操作するための電源操作スイッチ２４ａが設けられている。ここで、本実施例においては、電源操作スイッチ２４ａと電源操作部２４とは別体として設けられている。すなわち、この電源操作スイッチ２４ａは、本体枠１０の有する取付部１０ｂの係止部材１０ｃ近傍の所定位置に配設されている。この電源操作スイッチ２４ａは、電源操作部２４とは所定の配線を介して接続されている。また、この電源操作スイッチ２４ａは、切り替え式のスライドスイッチ等により形成されており、スライド運動させることにより電源のオンオフを操作することができるように形成されている。
【００５６】
次に電源基板２６は、パチンコ遊技機Ａ１の遊技に供される電源を制御するために設けられている。すなわち、この電源基板２６は、外部電源から供給されるＡＣ２４Ｖ電源を本パチンコ遊技機Ａ１の有する種々の電装部材（例えば、主制御基板２２ｂや制御情報表示装置２２ｆ等）のそれぞれに適応した電圧の供給や、停電時あるいは強制的に外部電源の供給が遮断された場合において、パチンコ遊技機Ａ１の各電装部材のうち、制御を行う各制御部（例えば、主制御基板２２ｂの有する主制御部（図示省略））に対して、停電予告信号及び停電信号の出力を行う等の電力の制御を行っている。
【００５７】
ここで、この電源基板２６には、図２に示すように、ＲＡＭ消去スイッチ２６ａ（記憶消去操作スイッチ）が設けられている。このＲＡＭ消去スイッチ２６ａは、前述の電源操作スイッチ２４ａと同様に、電源基板２６とは別体として設けられており、本体枠１０の有する取付部１０ｂの側面に設けられている係止部材１０ｃ近傍の所定位置であって、電源操作スイッチ２４ａに隣接する位置に配設されている。このＲＡＭ消去スイッチ２６ａは、電源基板２６と所定の配線を介して接続されている。また、このＲＡＭ消去スイッチ２６ａは、いわゆるモーメンタリ機構を有する押しボタン式スイッチにより形成されている。
【００５８】
また、このＲＡＭ消去スイッチ２６ａは、電源遮断時において、主制御基板２２ｂ内に設けられたＲＡＭ（図示省略）（記憶手段）に保存された制御情報を強制的に消去する際に操作されるスイッチである。具体的には、ホール営業終了時に確率変動状態が継続している状態で遊技を中断するような場合には、ＲＡＭに確率変動状態の制御情報が保存されたままパチンコ遊技機Ａ１の電源が遮断され、翌日の営業再開時までその制御情報が持ち越されることとなり、営業開始時から確率変動状態となってしまう。そこで、パチンコ遊技機Ａ１の電源投入時に、ＲＡＭ消去スイッチ２６ａを操作した状態で電源操作スイッチ２４ａを操作することで、ＲＡＭ内の制御情報が消去される仕組みとなっている。なお、このＲＡＭの消去操作については、特開２００２−４５４７８等においてすでに開示されているので、その詳細な制御及び処理方法の説明を省略する。
【００５９】
次に、前面ガラス扉枠３０は、図１に示すように、本体枠１０の前面側に配設されている。この前面ガラス扉枠３０の中辺部には、ガラス部３２が設けられており、前面側には、装飾用ランプ３４が設けられている。この前面ガラス扉枠３０には、図３等に示すように、所定の被連結部３６が設けられており、この被連結部３６を介して外枠４０と連結されている。
【００６０】
次に、外枠４０は、図１等に示すように、略長方形状を呈する木質系の複数の板部材を互いに組み合わせることにより形成されている。すなわち、この外枠４０は、これら複数の板部材の端部同士を互いに連接することにより、上面及び底面が開口した略枠状に形成されている。また、この外枠４０には、連結部４２が設けられている。この連結部４２には、本体枠１０の被連結部１１と、前面ガラス扉枠３０の被連結部３６とがそれぞれ回動自在に連結されている。すなわち、外枠４０には、本体枠１０が開閉自在に設けられ、さらに、本体枠１０には、前面ガラス扉枠３０が開閉自在に設けられている。また、本体枠１０の解放端側の取付部１０ｂの側面に設けられている係止部材１０ｃは、本体枠１０の前面側から背面側に渡って穿設されている。この係止部材１０ｃは、本体枠１０の外枠４０への収納と、前面ガラス扉枠３０の本体枠１０への固定とを同時に行うための係止手段として設けられている。
【００６１】
次に、本発明にかかるパチンコ遊技機Ａ１の使用状態、具体的には、電源操作スイッチ２４ａとＲＡＭ消去スイッチ２６ａとの操作について説明する。
図３は、パチンコ遊技機Ａ１を遊技ホールに設置した状態を示す使用状態図である。
また、図４は、図３に示すパチンコ遊技機Ａ１の使用状態を拡大した拡大斜視図である。
図３において、主制御基板２２ｂ内に設けられているＲＡＭが記憶している制御情報を消去するには、まず、係止部材１０ｃ（図２参照）による係止状態を解除して、外枠４０から本体枠１０を所定の位置、すなわち、本体枠１０の側面が外部から視認できる位置まで開扉する。すると、図４に示すように、本体枠１０の側面に設けられた電源操作スイッチ２４ａと、ＲＡＭ消去スイッチ２６ａとが視認できる状態となる。次に、ＲＡＭ消去スイッチ２６ａを押す。ここで、このＲＡＭ消去スイッチ２６ａが押圧された状態で、電源操作スイッチ２４ａをスライドさせて電源を投入する。すると、ＲＡＭに保存されている制御情報は、消去されたこととなる。これにより、パチンコ遊技機Ａ１は、初期化された状態となり、遊技に供することが可能な状態となる。なお、図３においては、前面ガラス扉枠３０が閉止された状態を示し、図４においては、前面ガラス扉枠３０が開扉された状態を示している。
【００６２】
また、図５に示すように、本実施例のパチンコ遊技機Ａ１において、本体枠１０の所定位置に開口部１３が設けられていてもよい。この開口部１３は、本体枠１０が外枠４０に収納された状態であっても、本体枠１０の前面側から電源操作スイッチ２４ａとＲＡＭ消去スイッチ２６ａとを視認及び操作するために設けられている。すなわち、この開口部１３は、本体枠１０の前面側から見て前面ガラス扉枠３０の右下方であって、上皿１４の右側方に設けられており、本体枠１０を貫通して背面側が視認できるように設けられている。この時、電源操作スイッチ２４ａとＲＡＭ消去スイッチ２６ａとは、本体枠１０の前面側から開口部１３を覗くと丁度視認できる位置に設けられている。
【００６３】
また、開口部１３に指等を挿入すると、前面側から記憶消去操作スイッチ及び／又は電源操作スイッチに手が届くように設けることも可能である。また、図示による説明を省略するが、この開口部１３は、電源操作スイッチ２４ａとＲＡＭ消去スイッチ２６ａを視認することができる位置であれば、遊技盤１２上の所定位置、例えば、隅角部１２ｂ、１２ｃ、１２ｄ、１２ｅ等に設けられていてもよい。
【００６４】
また、さらに、本実施例のパチンコ遊技機Ａ１においては、図５に示すように、注意書き１７が遊技盤１２の隅角部１２ｂ、１２ｃ、１２ｄ、１２ｅ（本実施例では隅角部１２ｅ）等に設けられていてもよい。この注意書き１７には、ＲＡＭ消去スイッチ２６ａ等の操作方法が記入されており、パチンコ遊技機Ａ１の操作の不慣れな記憶消去作業者に対して、ＲＡＭの消去方法を正確に知らせるために設けられている。なお、この注意書き１７は、電源操作スイッチ２４ａ及びＲＡＭ消去スイッチ２６ａの近傍に設けられていてもよい。
【００６５】
（３）遊技機の変形例：
次に、パチンコ遊技機Ａ１の変形例について図面を利用して説明する。
図６は、パチンコ遊技機Ａ１の変形例としてのパチンコ遊技機Ａ２を示す斜視図である。
同図において、パチンコ遊技機Ａ２においては、遊技盤１２の前面側から見て右上方の隅角部１２ｃには、電源操作スイッチ２２４ａが設けられている。この電源操作スイッチ２２４ａは、電源操作部２４（図２参照）と所定の配線を介して接続されている。また、遊技盤１２の前面側から見て左上方の隅角部１２ｂには、ＲＡＭ消去スイッチ２２６ａが設けられている。このＲＡＭ消去スイッチ２２６ａも同様に、電源基板２６（図２参照）と所定の配線を介して接続されている。
【００６６】
この電源操作スイッチ２２４ａ及びＲＡＭ消去スイッチ２２６ａは、前面ガラス扉枠３０が本体枠１０に装着されている場合においては、前面ガラス扉枠３０により前面側からは視認できないように配設されている。つまり、この電源操作スイッチ２２４ａとＲＡＭ消去スイッチ２２６ａとは、前面ガラス扉枠３０を開扉した時にだけ視認できるように配設されている。
【００６７】
図７は、パチンコ遊技機Ａ２の要部の構成を示す拡大斜視図である。
同図において、パチンコ遊技機Ａ２は、電源操作スイッチ２２４ａと、ＲＡＭ消去スイッチ２２６ａに加えて、本体枠１０の上方端部付近に設けられたスイッチ取付孔１５に連動スイッチ３２４ａが設けられている。この連動スイッチ３２４ａは、従来のパチンコ遊技機Ｘ（図９参照）のように電源操作部２４に設けられた電源操作スイッチ１２４ａを本体枠１０の前面側から間接的に操作するために設けられている。
【００６８】
図８は、図７に示すＸ１−Ｘ１方向より視認した矢視断面図である。
同図において、本体枠１０の所定位置には、本体枠１０の前後に通ずるようなスイッチ取付孔１５が穿設されており、このスイッチ取付孔１５に連動スイッチ３２４ａを配設することにより、電源操作部２４に設けられた電源操作スイッチ１２４ａを操作可能に設けられている。この場合の電源操作スイッチ１２４ａは、オルタネイト機構を有する押しボタン式スイッチ等にて形成されている。
【００６９】
この電源操作スイッチ１２４ａは、その作用から考えて、連動スイッチ３２４ａからも電源の操作ができるように設けられている。例えば、電源操作スイッチ１２４ａの有するオルタネイト式の接点ロック機構が背面側にも設けられているような機構を有するスイッチ等にて形成されている。なお、この電源操作スイッチ１２４ａは、連動スイッチ３２４ａからの電源操作が可能であれば、オルタネイト機構を有する押しボタン式スイッチに限られることなく、別の構造を有するスイッチにより形成されていてもよい。
【００７０】
従って、連動スイッチ３２４ａは、本体枠１０の前面側から一度押圧することにより電源がオンされて、もう一度押圧することによってオフとなるように交互に電源のオンオフを操作できるように設けられている。この連動スイッチ３２４ａを有するパチンコ遊技機Ａ２においては、本体枠１０の開閉にかかわらず電源の投入及び遮断を行うことができる。つまり、前面ガラス扉枠３０だけを開扉している場合には、連動スイッチ３２４ａを操作すればよく、また、本体枠１０を開扉している場合には、従来からの配設位置である電源操作部２４に設けられている電源操作スイッチ１２４ａを操作すればよい。
【００７１】
また、図７に示すように、上述した電源操作スイッチ２２４ａあるいは連動スイッチ３２４ａのように電源操作を行うスイッチだけでなく、ＲＡＭ消去スイッチ２２６ａにおいても同様に、従来のパチンコ遊技機Ｘ（図９参照）のように電源基板２６に設けられているＲＡＭ消去スイッチ１２６ａを本体枠１０の前面側から所定の連動スイッチ（図示省略）等を用いて操作してもよいし、本体枠１０の前面側と背面側との両方にＲＡＭ消去スイッチ１２６ａ及び２２６ａを併設してもよい。なお、ＲＡＭ消去スイッチ１２６ａを本体枠１０の前面から操作するための連動スイッチは、電源操作スイッチ１２４ａを操作するための連動スイッチ３２４ａと同様の機構により設けられているので、図による説明を省略する。なお、このＲＡＭ消去スイッチ１２６ａを連動操作する連動スイッチは、連動スイッチ３２４ａと同様の機構でなくても、本体枠１０の前面側からＲＡＭ消去スイッチ１２６ａを操作することができるものであれば、これに限られることなくワイヤー状の部材であったり、連杆部材等の連動操作が可能な機構を有する部材により設けられていてもよい。
【００７２】
また、このパチンコ遊技機Ａ２においては、ＲＡＭの消去作業に応じて遊技盤１２ａ上に配設されている装飾用ランプ３４や、前面ガラス扉枠３０上の装飾用ランプ３４が発光するように設けられていてもよい。例えば、ＲＡＭ消去スイッチ２６ａを押圧すると、装飾用ランプ３４が点灯して、電源操作スイッチ２４ａを操作して電源が投入されるてＲＡＭ内の制御情報が正常に消去されると、装飾用ランプ３４が２回点滅するといったような発光パターン等が設定されている。
【００７３】
このＲＡＭの消去作業に応じて装飾用ランプ３４を発光させるのは、ＲＡＭの消去作業者に対してＲＡＭ消去の作業状況を把握し易くするためである。なお、前面ガラス扉枠３０の前面側に設けられた装飾用ランプ３４の丁度裏側が、光を透過することができる部材にて形成されていたり、前面ガラス扉枠３０に配設されている装飾用ランプ３４自体が、本体枠１０側に配設されていてもよい。これにより、前面ガラス扉枠３０用に設けられている装飾用ランプ３４においてもＲＡＭの消去作業を報知させることができる。
【００７４】
また、さらに、ＲＡＭの消去作業に応じて制御情報表示装置２２ｆに所定の画像を表示させてもよい。例えば、ＲＡＭ消去スイッチ２６ａを押圧すると、制御情報表示装置２２ｆ及びＲＡＭの制御手段（具体的には、主制御基板２２ｂ等）に電源が供給されて、ＲＡＭが記憶している制御情報の詳細が制御情報表示装置２２ｆの画像表示部２２ｆ１において表示される。次に、電源操作スイッチ２４ａを操作して電源が投入されてＲＡＭ内の制御情報が正常に消去されると、画像表示部２２ｆ１においてＲＡＭに記憶されている制御情報が正常に消去されたことを報知する表示が行われる。
【図面の簡単な説明】
【図１】本発明にかかるパチンコ遊技機Ａ１の概略的な構成を示す斜視図である。
【図２】本発明にかかるパチンコ遊技機Ａ１の要部の構成を示す図であって、特に背面側の構造を示す分解斜視図である。
【図３】本発明にかかるパチンコ遊技機Ａ１の使用状態を示す使用状態図である。
【図４】本発明にかかるパチンコ遊技機Ａ１の使用状態を拡大した拡大斜視図である。
【図５】本発明にかかるパチンコ遊技機Ａ１の遊技盤を前面側から視認した正面図である。
【図６】本発明にかかるパチンコ遊技機Ａ１の変形例としてのパチンコ遊技機Ａ２の要部の構成を示す分解斜視図である。
【図７】本発明にかかるパチンコ遊技機Ａ２要部の構成を示す拡大斜視図である。
【図８】本発明にかかるパチンコ遊技機Ａ２の要部の構成を示す図であって、Ｘ１−Ｘ１（図７参照）方向より視認した矢視断面図である。
【図９】従来例のパチンコ遊技機Ｘの背面側の構成を示す斜視図である。
【符号の説明】
Ａ１、Ａ２…遊技機
１０…本体枠
１２…遊技盤
１３…開口部
１７…注意書き
２０…機構板
２２ｆ…制御情報表示装置
２２ｂ…主制御基板
２４…電源操作部
２４ａ、２２４ａ…電源操作スイッチ、（３２４ａ…連動スイッチ）
２６…電源基板
２６ａ、２２６ａ…ＲＡＭ消去スイッチ
３０…前面ガラス扉枠
３４…装飾用ランプ
【図１】
2004033540.tif 000003
【図２】
2004033540.tif 000004
【図３】
2004033540.tif 000005
【図４】
2004033540.tif 000006
【図５】
2004033540.tif 000007
【図６】
2004033540.tif 000008
【図７】
2004033540.tif 000009
【図８】
2004033540.tif 000010
【図９】
2004033540.tif 000011